(57)【要約】      （修正有）【課題】芯付き、芯なし型のトイレットペ−パ−を上から投入できる装着装置、紙端部の掻き落とし装置、紙切り装置、紙切り装置に連動する紙端部の自動繰り出し装置等を一体化させ、病院、障害者の施設、公共施設、手の動きに何かの障害のある人の家庭等のトイレに設置するペ−パ−ホルダ−の提供。【解決手段】本体フレ−ム１上方に可視部２を形成し、装着口にガイドロ−ラ−４と湾曲の案内板７と透明のブレ−ス６、６を有したロ−ラ−５を備え、装着装置下に紙端部の掻き落とし装置１０を備え、装置下の前方側に相異なる湾曲面と下側面を狭くしたフレ−ム１の形体に合わせた紙切り板１２を有した紙切り装置を設け、紙切り装置内に、紙切り板１２内面に振り子式のア−ム２５下のカム７を連動させて、紙端部ｐを引き出し口を兼ねる繰り出し口２１の安全帯域２４から、紙切りの都度毎に概ね５ｃｍ程降下させる、紙端部の自動繰り出し装置を一体的に構成させる。【選択図】図１
2008119280.tif 000002
【特許請求の範囲】
【請求項１】
フレ−ム上に装填口を具備し、該装填口の前端に転げ止めを備え、後方に傾斜状の案内部を設け、前記装填口下に、両側にフランジを取り付けたロ−ラ−を備え、該ロ−ラ−の前方下に押動式の切り取り板を備え、該切り取り板下の刃下に引き出し口兼用の繰り出し口を備え、前記切り取り板の操作に連動してトイレットペ−パ−の紙端部を自動的に繰り出すようにされたペ−パ−ホルダ−において、
前記両側のフレ−ム（１，１）上の両側下に半円状の可視部（２、２）を設けた装着口（３）を形成し、該装着口（３）の前方に回転自在のガイドロ−ラ−（４）を設け、該ガイドロ−ラ−（４）下の前記フレ−ム（１、１）間にフロント板（Ｆ）を設け、前記装着口（３）下に、周面を滑り易くした回転自在のロ−ラ−（５）を取り付けてその両側に透明のブレ−ス（６、６）を取り付け、前記装着口（２）の後方からロ−ラ−（５）の後側にかけて、前端側を半円形に形成して次記掻き落とし装置へトイレットペ−パ−（Ｐ）の紙端部（ｐ）側をスム−ズに滑走させるようにしたことを特徴とするペ−パ−ホルダ−。
【請求項２】
前記ガイドロ−ラ−（４）下のフレ−ム（１、１）間に回転自在の支軸（８）を設け、該支軸（８）に中間を回転自在に軸支した可動板（９）を後方上がりのシ−ソ式に取り付け、前記可動板（９）の後端側をへ字型に形成して掻き落とし（１０）を形成し、前記可動板（９）の前方に、前記掻き落とし（１０）側を辛うじて上げれるようなバランスに調整された重錘（Ｗ）を取り付け、該重錘（Ｗ）下を前記フロント板（ｆ）の内側に対応させて、前記掻き落とし（１０）後端側をトイレットペ−パ−（Ｐ）下の繰り出し面内に摺接状に対応させたことを特徴とする請求項１記載のペ−パ−ホルダ−。
【請求項３】
前記装着装置と掻き落とし装置とを備えるフレ−ム（１、１）下の形体を、相反する湾曲面（ｃ１）（ｃ２）と、下側面の狭い傾斜面（ｉ１）に形成し、かつ該傾斜面（ｉ１）下の内側に軸承（１１、１１）を凹設した前記フレ−ム（１、１）内の前面側に、前記フレ−ムの上方形体に合わせかつ下方の傾斜面（ｉ２）下を狭く形成させた紙切り板（１２）下にフ字型の基部（１３）を形成し、該基部（１３）の両側に支軸（１４、１４）を凸設させて、該支軸（１４、１４）を前記フレ−ム（１、１）内下の軸承（１１、１１）部に軸支し、かつ前記紙切り板（１２）内の基部（１３）上に傾斜リブ（１５）を並設し、該傾斜リブ（１５）上方に案内リブ（１６）を突起し、前記紙切り板（１２）の上端側に係止部（１８）を後方へ屈曲状に設け、該係止部（１８）をフロント板（ｆ）に対応させ、前記紙切り板（１２）下のフ型基部（１３）の湾曲後面に案内（ｇ）を備え、該案内（ｇ）の前下方に、前記傾斜面（ｉ２）より若干張出した鋸歯状の紙切り歯（１７）を形成し、該紙切り歯（１７）上の前記フ型窪みに安全リブ（ｒ）を並設した当該紙切り板（１２）内には、前記湾曲面（ｃ２）に対応させるストッパ−（ｓ）軸（１３）を、前記フレ−ム（１、１）間に取り付け、該ストッハ−軸（１９）に、紙幅に形成されたゴムロ−ラ−（２０）を回転自在に取り付けて、当該紙切り板（１２）の回動工程を、前記フロント板（ｆ）内の係止部（１８）とゴムロ−ラ−（２０）のストッパ−（Ｓ）との概ね５°の区間を回動式に構成し、前記紙切り板（１２）の紙切り歯（１７）下に、引き出し口を兼ねる繰り出し口（２１）を形成させる繰り出し板（２２）を取り付け、該繰り出し板（２２）後方を上方へ湾曲させて紙端部（ｐ）の案内面を形成させ、前記繰り出し板（２２）の前下方にパイプ（２３）を形成させて、該パイプ（２３）と前記紙切り歯（１７）との間に安全帯域を形成させたことを特徴とする請求項１、２記載のペ−パ−ホルダ−。
【請求項４】
前記掻き落とし装置の回転自在の支軸（８）の両側部に、コ字型に形成した鋼線のア−ム（２５、２５）間へ回転自在に繰り出しパイプ（２６）を取り付けた前記両側のア−ム（２６）に設けた環状の支持部（２８、２８）を取り付け、前記両側のア−ム（２５、２５）の上方を、前記紙切り板（１２）内の割り出し位置のポイント（ｐｏ）に対応する箇所をく字型に屈曲（ｄ１、ｄ１）させてカム（２７、２７）を形成し、該カム（２７、２７）下の傾斜状のア−ム（２５、２５）下を、前記ストッパ−（Ｓ）を兼ねるゴムロ−ラ−（２０）を迂回させる形体の逆く字型に屈曲（ｄ、ｄ）させて、前記ア−ム（２５、２５）下の繰り出しパイプ（２６）を、前記紙切り板（１２）内の湾曲（ｃ２）面に対応かつ紙切り板（１２）の回動に対応させたことを特徴とする請求項１、２、３記載のペ−パ−ホルダ−。
【発明の詳細な説明】
【技術分野】
【０００１】
本発明は、芯なし、芯付き等のトイレットペ−パ−に対応する装着装置と、装着時の紙端部の掻き落とし装置と、紙切り装置と、該紙切り装置に連動する紙端部の自動繰り出し装置とを一体的な仕組みに改良された、ペ−パ−ホルダ−に関するものである。
【背景技術】
【０００２】
トイレに設置されるペ−パ−ホルダ−は、便器と共に重要なものであるから、それなりの形式のものが取り付けられている。
【０００３】
そして、便器の型式乃至そのグレ−ド或いは、ユ−ザ−の好みのものをオ−ダ−されるか、便器の型式やグレ−ドに相応した型式のものを、当初から設置されるものでもある。
故に、会社、官庁等は別として、病院、障害者施設等から、一般の住宅、集合住宅等においては、当初に取り付けられたペ−パ−ホルダ−を使い続ける場合と、使い勝手のよい機種のものに付け替えるという傾向もある。
【０００４】
しかし、現存する様々な型式のペ−パ−ホルダ−の機能と使い勝手等々においては、夫々に一長一短があり過ぎて、障害者の使い勝手を最優先に考慮されたペ−パ−ホルダ−は皆無に等しい。
【０００５】
特に、様々の患者を扱う病院や、障害者を扱う障害者施設、または、障害者専用のトイレ等々において顕著であるという。
【０００６】
即ち、利き手に何らかの障害のある人達にとっては、トイレットペ−パ−の引き出しの過程と、その切り取りに至る仕種の苦闘の始終については、健常者の想像の域を越えた苦闘を強いられる実情に対応できないということである。
【０００７】
これは、そうした現状と正面から取り組んで、その機能と使用性を向上させるだけでなく、その使用性のなかに、今までのものには全くなかった面白さと、癒される使い勝手を付加しなければ、斯かる実情に対応できないことである。
【０００８】
この改善作として、ペ−パ−ホルダ−の上方に装填口を設け、該装填口の前方にペ−パ−の転げ止めの支持部を備え、後方に傾斜型の案内部を設け、前記両者間下に、磁石式の傾斜軸受けを取り付け、該磁石式の傾斜軸受けに、鉄性の軸体を吸い付かせ、該軸体にゴム巻きのロ−ラ−を取り付け、該ゴム巻きロ−ラ−の両側にフランジを取り付けた支持機構を備え、フレ−ムの前面側に振り子式の切り取り板を設け、該切り取り板内の両側を、前記ロ−ラ−両側のフランジに対応させて、トイレットペ−パ−の切り取りの過程に前記フランジを介してロ−ラ−軸を、前記磁石式の傾斜軸受け面を押し上げ、切り取り板から手を外すと、前記ロ−ラ−はトイレットペ−パ−を載せた状態で前方へ回転しながら降下して、その都度毎にトイレットペ−パ−を前方へ回転させて、そのトイレットペ−パ−の直形の１／４に見合う紙端部を繰り出させるように創案したペ−パ−ホルダ−には、その装填装置と、切り取り装置と、該切り取り装置に連動させる繰り出し装置などに不備があった。
【特許文献１】特開２００２−６５５０４号公報
【発明の開示】
【発明が解決しようとする課題】
【０００９】
解決しようとする問題は、トイレットぺ−パ−の装着装置と、該装着装置下のフレ−ムの形体を含む、紙端部の掻き落とし装置を含む、紙端部の自動繰り出し装置等々に不備があった。
【課題を解決するための手段】
【００１０】
本発明は、芯付きのトイレットペ−パ−は勿論、特に装着性が不便とされる、芯無しのトイレットペ−パ−を容易に投入できる装着装置と、紙端部の掻き落とし装置と、特筆できる紙切り装置と、紙端部をその都度一定の長さに降下させる自動繰り出し装置等々を、最も使用性が容易のように一体的に改良なしたものである。
【発明の効果】
【００１１】
本発明のペ−パ−ホルダ−は、フレ−ムの上方に有した装着装置へ、芯なし、及び芯付きのトイレットペ−パ−の紙端部を剥がして、後下方空から前下方へ繰り出すような仕様の通りに、紙端部側を湾曲状の案内板に当てて、手指の面で少なくとも２回ほど押し回すと、当該装着口下の掻き落としによって紙端部は容易に掻き落とされ、紙切り板内の湾曲面を滑走しながら紙切り板下の引き出し口を兼ねる繰り出し口下に降下させれるようになっているから、手等が多少動き鈍い人にも簡単かつ至便に装着することができる。
【００１２】
また、トイレットペ−パ−を装着して前記のように押し回す過程に、当該紙端部の掻き落とし装置によって容易に降下させれると共に、芯なしのトイレットペ−パ−の巻き終わりに至るまで支持されるようにもなっている。
【００１３】
また、当該紙切り装置の紙切り板は、トイレットペ−パ−上を迂回したり、操作のし難い前面側へ手を上げなくとも、引き出したトイレットペ−パ−を紙切り板の下方から滑走させるような調子で押し上げれば、いとも簡単に、而も奇麗な切り取り面にしてきりとることができるようになったから、正にワンハンドカットの典型を具現した。
【００１４】
また、当該紙端部の自動繰り出し装置は、紙切り板の操作の都度毎に連動して、その都度、概ね５ｃｍ程自動的に紙切り板下の引き出し口を兼ねる繰り出し口の安全帯域下へ降下するように構成されているから、次に使用する人にも至便を極めれる。
【００１５】
従って、病院、障害者の施設、手の動きに何らかの障害のある人の家庭、または、公共の施設、ホテル等々における環境を、著しく向上させれるという多大な効果を奏する。
【発明を実施するための最良の形態】
【００１６】
発明の実施の形態を実施例に基づき順次説明する。
図１において、両側のフレ−ム（１、１）の上内方に開放状の形体の装着口（３）の前方に回転自在のガイドロ−ラ−（４）を設け、前記装着口（３）下に滑り易い周面のロ−ラ−（５）を回転自在に軸支し、該ロ−ラ−（５）の両側にポリカ−ボネ−ト等の透明なブレ−ス（６、６）を取り付け、前記装着口（３）後方から前記ロ−ラ−（５）の後側にかけて湾曲状の案内板（７）を設けると共に、該案内板（７）の前端側を半円状に形成させて、後記紙端部の繰り出し装置に支障を及ぼさないようにすると同時に、トイレットペ−パ−（Ｐ）の初期のセット時において、紙端部（ｐ）をロ−ラ−（５）面にスム−ズに滑走するように構成し、かつ前記両側のフレ−ム（１、１）の上側面を半円状に切り込んで可視部（２、２）を形成し、該可視部から、前記透明のブレ−ス（６、６）を透して、前記装着口（３）内にロ−ラ−（５）の外側とトイレットペ−パ−（Ｐ）の装着状態を可視可能に構成された装着装置を備える。
【００１７】
図１及び２において、前記装着装置におけるガイドロ−ラ−（４）下のフレ−ム（１、１）間に回転自在の支軸（８）を設け、該支軸（８）に回動自在に軸支してシ−ソ式に取り付けられた後方上がりの可動板（９）の後端をへ字型に形成させてて、該へ字型の後端側に掻き落とし（１０）を備え、前記可動板（９）の前方側には、前記掻き落とし（１０）を、前記装着口（３）に装着したトイレットペ−パ−（Ｐ）下の周面よりも若干だけ上がり気味となるバランスにする重錘（Ｗ）を、前記可動板（９）を折り返えし、かつ該可動板の折り返しの後方をカ−ルさせて、前記支軸（８）に回動自在に軸支し、前記可動板（９）重錘（Ｗ）の前方のフレ−ム（１、１）間にフロント板（ｆ）を取り付け、該フロント板（ｆ）内下にストッパ−（ｓ）を形成し、該ストッパ−（ｓ）に、前記可動板（９）前方の重錘（Ｗ）を前記バランスを保てるように構成して、当該紙端部の掻き落とし（１０）を、トイレットペ−パ−（Ｐ）下の周面から、繰り出し面内にと、終始摺接、かつトイレットペ−パ−（Ｐ）の繰り出しに従い巻き径の変化に対応して、前記ロ−ラ−（５）側へ降下し、芯なしのペ−パ−の巻き終わりに至るまで微妙なバランスで支持されるし、一方、芯付きのトイレットペ−パ−（Ｐ）の場合も巻き終わりに至るまで容易に支持されるばかりでなく、空芯を取り除く仕種も簡便になる紙端部の掻き落とし装置を備える。
【００１８】
図１及び３において、前記装着装置と紙端部の掻き落とし装置下のフレ−ム（１、１）の前面側の形体を、湾曲面（ｃ１）と、逆湾曲面（ｃ２）と、下面側を狭くした傾斜面（ｉ１）の逆台形如きに形成し、前記傾斜面（ｃ１）下の両内側に軸承（１１、１１）を凹設し、前記フレ−ム（１、１）内に、前記フレ−ムの湾曲面に合わせ、かつ下方側の傾斜面の下側面を狭くした傾斜面（ｉ２）下にフ型の基部（１３）と、該基部（１３）の両側に、前記フレ−ム（１、１）内下の軸承（１１、１１）にセットさせる支軸（１４、１４）を凸設し、前記基部（１３）の後下方の湾曲面を紙端部（ｐ）の案内面（ｇ）となし、該案内面（ｇ）上に傾斜リブ（１５）を並設し、該傾斜リブ（１５）上方の湾曲面（ｃ２）に案内リブ（１６）を並設し、前記基部（１３）の案内面（ｇ）の湾曲下の前端側に、前記紙切り板（１２）下の傾斜面（ｉ２）下に付け根がある鋸歯状の切り取り歯（１７）を少なくとも２ｍｍ程突起状に形成し、該切り取り歯（１７）の前記付け根から、前記傾斜面（ｉ２）にかけて、前記フ型基部の窪み内に安全リブ（ｒ）を並設し、前記紙切り板（１２）上側を後方へ屈曲させて係止部（１８）を形成し、該係止部（１８）を、前記フロント板（ｆ）裏面側に係止させ、前記紙切り板（１２）内側の湾曲面（ｃ２）の後方位置に対応する前記フレ−ム（１、１）間にストッパ−軸（１９）に、紙幅のゴムロ−ラ−（２０）を回転自在に取り付けて、当該紙切り板（１２）の回動区間を、前記フロント板（ｆ）の係止部から、前記ゴムロ−ラ−（２０）に係止される概ね５°の間を、メトロノ−ム状の逆振り子式に取り付けて、手に多少の障害等があっても、下から滑走状に、単に押し上げるだけの、極めて至便な紙切り装置を備えられている。
【００１９】
また紙切り板（１２）下の切り取り歯（１７）下に対応する前記フレ−ム（１、１）下の両内側に、前下方にパイプ状の安全部（２２）を形成し、該安全部（２２）の前記パイプの後方側を後上方へ湾曲させ、該湾曲面内に紙端部（ｐ）の案内面（２３）を形成し、前記案内面（２３）下と、前記切り取り歯（１７）との相互間に、トイレットペ−パ−（Ｐ）の引き出し口を兼ねる繰り出し口（２１）の前下端には安全帯域（２４）を備える。
【００２０】
図１、２、３、４において、前記紙端部の掻き落とし装置の支軸（８）の両側に、環状の支持部（２８、２８）を取り付けて一体的に回動させる紙端部の繰り出しア−ム（２５、２５）はコ字型且つ複数の屈曲部を有し、前記両側のア−ム（２５、２５）下に回転自在のパイプ（２６）を設けられ、該バイプ（２６）を、前記紙切り板（１２）内の案内リブ（１６）下の傾斜面（ｉ２）に可動式に対応させて、前記パイプ（２６）上のア−ム（２５、２５）を、前記ストッパ−軸（１９）の後方を逆く字型に屈曲し、該屈曲上方を傾斜状に形成し、該傾斜状のア−ム（２５、２５）上方側を、前記紙切り板（１２）内の湾曲面（ｃ１）に割り出した適正ポイント（ｐｏ）に対応する箇所でく字型に屈曲させ、該屈曲下にカム（２７、２７）を形成し、該カム（２７、２７）は前記紙切り板（１２）を押動させると、図１の仮線で示すように上方へ回動して、前記ア−ム（２５、２５）下のパイプ（２６）はその後側のトイレットペ−パ−（Ｐ）を、前記ストッパ−（Ｓ）を兼ねるゴムロ−ラ−（２０）を介して、装着口（３）内のトイレットペ−パ−（Ｐ）は仮線で示すように後上方へと引き出され、紙切り板（１２）から操作の手を外すと、紙切り板（１２）と繰り出しア−ム（２５、２５）は元の位置に降下すると同時に、かき上げられた前記トイレットペ−パ−（Ｐ）は、前記案内（２３）を通過して繰り出し口（２１）下に概ね５ｃｍ程、その都度毎に連動して紙端部（ｐ）を繰り出させておける紙端部の自動繰り出し装置を、前記装着装置、紙端部の掻き落とし装置、紙切り装置等下に一体的に連繋させて構成されたので、病院、障害者の施設等のトイレ、又は、障害者のいる家庭等々のトイレに容易に設置できるように構成されている。
【実施例】
【００２１】
図１は、本発明のパ−ト１、２、３、４の内部構造を表す側面図で、フレ−ム１、１及びフロント板ｆ、紙切り板１２、ロ−ラ−５、ブレ−ス６、６、ガイドロ−ラ−４、案内板７等々を、強度に優れたポリカ−ボネ−ト樹脂により成型され、装着口３下の紙単部の掻き落とし装置における掻き落とし１０を備える可動板９は、重錘Ｗを含めて確かな強度に秀いるステンレスの薄板を屈曲させて取り付けられ、該装置の支軸８下に取り付けた紙単部の繰り出し装置のア−ム２５、２５は、強度の鋼線を屈曲させたものを取り付け、前記ア−ム２５、２５下のパイプ２６は、両内側に軸承材を付けた軽いアルミ製を当初から通しておいてから図１、４に示すように屈曲させてあり、一方、前記紙切り板１２内のストッパ−Ｓを兼ねるゴムロ−ラ−２０は、その幅をトイレットペ−パ−Ｐの紙幅１１４ｍｍを越えないサイズにすると共に、前記ゴムロ−ラ−２０中に軽い樹脂製の軸支管を取り付けて、軽快に回転するように構成すると、紙端部ｐをスム−ズに引き出させれるようになり、また、当該装着装置と、紙端部の掻き落とし装置と、紙切り装置と、紙端部の自動繰り出し装置を一体的にカバ−する両側のフレ−ム１、１を実施例においては不透明材により構成させたが、前記装着装置におけるロ−ラ−両側のブレ−ス６、６を透明にしたように、両側のフレ−ム１、１も、ポリカ−ボネ−ト樹脂の特徴を生かして、上記仕組みを可視可能なスケルトンに構成すれば、障害と苦闘する人達に一時の潤いを付与だけに止まらず、特に、障害のある子供達には、透視できるメカニズムの面白さを転機に「考える」「チャンス」と、それを上回る「創案」への「チャレンジ精神」を誘う指針を付与する。
【産業上の利用可能性】
【００２２】
芯やミシン目等々の有無を問わない規格内の市販のトイレットペ−パ−であれば、その紙端部を剥がしたら、その紙端部を後下方から前方へ繰り出すように、ポンと装着し、それを手の指先面で後方へと押し回してやると、紙端部は紙切り板下の引き出し口下へと容易に降下してスタンバイを完了するから、手に多少の障害のある人達のいる病院、障害者の施設、また、障害者や手の不自由な家族のいる家庭等々のトイレに、簡単に付け替えできるように構成されている。
【００２３】
特に、トイレットペ−パ−の引き出し口の位置を、従来機種の１／２となる後方に位置させたことによって、ペ−パ−の引き出し時の手の動かし方が容易になるから、狭いトイレにおいても、不自由な態勢を強いられずに、楽々に引き出せるようになっている。
【００２４】
また、引き出したトイレットペ−パ−を切り取る際には、引き出したその時点において、紙切り板の傾斜面に沿って単に押し上げれば、安全帯域の後方に突起させた鋸歯型の紙切り歯により、極めて安全かつ奇麗に切り取れることが最大の特徴になっている。
【００２５】
また、紙切り板を押して必要分だけを切り取ると、紙切り板内に仕掛けられた紙単部の繰り出し装置のア−ム下のバイプと、紙切り板の後方ストッパ−を兼ねるゴムロ−ラ−とが夫々連繋して、前記装着装置上のトイレットペ−パ−を引き出して、紙切り板下の切り取り歯下の繰り出し口から、安全帯域のバイブ下へと、切り取り時毎に概ね５ｃｍの紙端部を自動的に繰り出すように構成されているので、前記のような病院、障害者の施設等、また、障害者のいる家庭のトイレ等々には、欠くことができないという適用性がある。
【図面の簡単な説明】
【００２６】
【図１】ペ−パ−ホルダ−における内部構造の全体を表す側面図である。
【図２】ペ−パ−ホルダ−における紙端部の掻き落とし装置の斜面図である。
【図３】ペ−パ−ホルダ−における紙切り装置の紙切り板の斜視図である。
【図４】ペ−パ−ホルダ−における紙端部の繰り出し装置の繰り出しア−ムの斜視図である。
【図５】ペ−パ−ホルダ−における内部構造を透視する外側面図である。
【図６】公開特許文献におけるペ−パ−ホルダ−の内部構造の全体を表す側面図である。
【符号の説明】
【００２７】
１  フレ−ム
２  可視部
３  装着口
４  ガイドロ−ラ−
５  ロ−ラ−
６  ブレ−ス
７  案内板
８  支軸
９  可動板
１０  掻き落とし
１１  軸承
１２  紙切り板
１３  基部
１４  支軸
１５  傾斜リブ
１６  案内リブ
１７  紙切り歯
１８  係止部
１９  ストッパ−軸
２０  ゴムロ−ラ−
２１  引き出し口を兼ねる繰り出し口
２２  繰り出し板
２３  パイプ
２４  安全帯域
２５  ア−ム
２６  繰り出しパイプ
２７  カム
２８  環状支持部
Ａ  芯付き巻き終わり
Ｂ  芯なし巻き終わり
ｒ  安全リブ
ｇ  案内
ｆ  フロント板
Ｐ  トイレットペ−パ−
ｐ  紙端部
Ｓ  ストッパ−
ｓ  ストッパ−
Ｗ  重錘
【図１】
2008119280.tif 000003
【図２】
2008119280.tif 000004
【図３】
2008119280.tif 000005
【図４】
2008119280.tif 000006
【図５】
2008119280.tif 000007
【図６】
2008119280.tif 000008